(57)【要約】      （修正有）【課題】  手間がかからず、秘匿したい箇所を秘匿できる、広告用チラシ、アンケート用紙等の返信用はがき、又は返信用封書付き印刷物を提供すること。【解決手段】印刷用紙（１）の所定の箇所に、横に２つ折りした場合に、はがきの大きさと同じ大きさになるように、横の長さが、はがきの横の長さの２倍であり、縦の長さは、はがきの縦の長さと同じであるはがき部（２）が設けられていること，当該はがき部（２）の輪郭に、当該はがき部（２）を当該印刷用紙（１）から切り離すために設けられた切り込み線（３）が設けられていること，当該はがき部（２）の表側の左、右の面（４，５）全体に、塗布した後にその上から文字を書くことが出来、かつ剥離可能な性質の接着剤が塗布されていること。【選択図】図１ａ
2006076071.tif 000002
【特許請求の範囲】
【請求項１】
印刷用紙（１）の所定の箇所に、横に２つ折りした場合に、はがきの大きさと同じ大きさになるように、横の長さが、はがきの横の長さの２倍であり、縦の長さは、はがきの縦の長さと同じであるはがき部（２）が設けられていること，当該はがき部（２）の輪郭に、当該はがき部（２）を当該印刷用紙（１）から切り離すために設けられた切り込み線（３）が設けられていること，当該はがき部（２）の表側の左、右の面（４，５）全体に、塗布した後にその上から文字を書くことが出来、かつ剥離可能な性質の接着剤が塗布されていること，からなる返信用はがき付き印刷物。
【請求項２】
印刷用紙（１）の所定の箇所に、横に２つ折りした場合に、はがきの大きさと同じ大きさになるように、横の長さが、はがきの横の長さの２倍であり、縦の長さは、はがきの縦の長さと同じであるはがき部（２）が設けられていること，当該はがき部（２）の輪郭に、当該はがき部（２）を当該印刷用紙（１）から切り離すために設けられた切り込み線（３）が設けられていること，当該はがき部（２）の表側の左、右の面（４，５）に、その周囲（１７）を除き、塗布した後にその上から文字を書くことが出来、かつ剥離可能な性質の接着剤が塗布されていること，さらに、当該左、右の面（４，５）の周囲（１７）に剥離不能な性質の接着剤が塗布されていること，からなる返信用はがき付き印刷物。
【請求項３】
印刷用紙（７）の所定の箇所に、縦に２つ折りした場合に、はがきの大きさと同じ大きさになるように、縦の長さをはがきの縦の長さより長くしてあり、横の長さははがきの横の長さと同じであるはがき部（８）が設けられていること，当該はがき部（８）の輪郭に、当該はがき部（８）を当該印刷用紙（７）から切り離すために設けられた切り込み線（９）が設けられていること，当該はがき部（８）の縦に２つ折りした場合に重なる側の上、下の面（１０，１１）全体に、塗布した後にその上から文字を書くことが出来、かつ剥離可能な性質の接着剤が塗布されていること，からなる返信用はがき付き印刷物。
【請求項４】
印刷用紙（７）の所定の箇所に、縦に２つ折りした場合に、はがきの大きさと同じ大きさになるように、縦の長さをはがきの縦の長さより長くしてあり、横の長さははがきの横の長さと同じであるはがき部（８）が設けられていること，当該はがき部（８）の輪郭に、当該はがき部（８）を当該印刷用紙（７）から切り離すために設けられた切り込み線（９）が設けられていること，当該はがき部（８）の縦に２つ折りした場合に重なる側の上、下の面（１０，１１）に、その周囲（１８）を除き、塗布した後にその上から文字を書くことが出来、かつ剥離可能な性質の接着剤が塗布されていること，さらに、当該上、下の面（１０，１１）の周囲（１８）に剥離不能な性質の接着剤が塗布されていることからなる返信用はがき付き印刷物。
【請求項５】
前記塗布した後にその上から文字を書くことが出来、かつ剥離可能な性質の接着剤が感圧糊であることを特徴とする請求項１〜４のいずれか１項に記載の返信用はがき付き印刷物。
【請求項６】
印刷用紙（１９）の所定の箇所に、縦に２つ折りした場合に、重なる上の面（２２）と下の面（２３）の大きさが同じになるように封書部（２０）が設けられていること，当該封書部（２０）の輪郭に、当該封書部（２０）を当該印刷用紙（１９）から切り離すために設けられた切り込み線（２１）が設けられていること，当該封書部（２０）の縦に２つ折りした場合に重なる上、下の面（２２，２３）の周囲（２５）に、接着剤が塗布されていること，からなる返信用封書付き印刷物。
【請求項７】
印刷用紙（１３）の所定の箇所に、横に２つ折りした場合に、大きさが同じになるように封書部（１４）が設けられていること，当該封書部（１４）の輪郭に当該封書部（１４）を当該印刷用紙（１３）から切り離すために設けられた切り込み線（１５）が設けられていること，当該封書部（１４）の左、右の面（２６，２７）の周囲（１６）に接着剤が塗布されていること，からなることを特徴とする返信用封書付き印刷物。
【請求項８】
前記接着剤が感圧糊であることを特徴とする請求項６又は７のいずれか１項に記載の返信用封書付き印刷物。
【発明の詳細な説明】
【技術分野】
【０００１】
本発明は、返信用はがき、又は返信用封書付き印刷物に関する。
【背景技術】
【０００２】
従来、広告用チラシに商品を掲載し、その商品を消費者が注文するために広告用チラシに付いている返信用はがきを切り取って送付する場合、又ある機関、組合、団体等がその構成員にアンケート用紙等何等かの回答を要求する返信用はがき付き印刷物を送付し、その構成員がアンケート等の回答をその返信用のはがきにて当該機関、組合、団体等に送付する場合、第三者にみられないように、住所、氏名、性別、年令、職業、内容等を秘匿したい場合があり、又個人情報等の観点から当該住所等を秘匿したい場合があった。
【０００３】
このような場合、当該返信用はがきの秘匿したい部分にシールを貼るようにする技術が示されている（例えば、特許文献１参照。）。
【０００４】
【特許文献１】特開２００４−１３３０６５（［０００５］，［００２５］）
【発明の開示】
【発明が解決しようとする課題】
【０００５】
前記特許文献１は本願出願人の出願に係るものであるが、前記文献１の広告用印刷物は二重構造の広告用印刷物であって、一枚の紙を２枚に折ること、重ねること、秘匿シールを設けるための加工を加えること、等の必要があり、製作に手間がかかる、という問題点があった。
又、はがきでなく、封書にすれば秘匿の目的をさらに達成出来、製作に手間がかからない、ということも考えた。
【０００６】
そこで、本発明は手間がかからず、秘匿したい箇所を秘匿できる、広告用チラシ、アンケート用紙等の返信用はがき、又は返信用封書付き印刷物を提供することを目的とする。
【課題を解決するための手段】
【０００７】
前記目的を達成するため、本発明の返信用はがき付き印刷物は、
印刷用紙の所定の箇所に、横に２つ折りした場合に、はがきの大きさと同じ大きさになるように、横の長さが、はがきの横の長さの２倍であり、縦の長さは、はがきの縦の長さと同じであるはがき部が設けられていること，当該はがき部の輪郭に、当該はがき部を当該印刷用紙から切り離すために設けられた切り込み線が設けられていること，当該はがき部の表側の左、右の面全体に、塗布した後にその上から文字を書くことが出来、かつ剥離可能な性質の接着剤が塗布されていること，からなる。
【０００８】
又、印刷用紙の所定の箇所に、横に２つ折りした場合に、はがきの大きさと同じ大きさになるように、横の長さが、はがきの横の長さの２倍であり、縦の長さは、はがきの縦の長さと同じであるはがき部が設けられていること，当該はがき部の輪郭に、当該はがき部を当該印刷用紙から切り離すために設けられた切り込み線が設けられていること，当該はがき部の表側の左、右の面に、その周囲を除き、塗布した後にその上から文字を書くことが出来、かつ剥離可能な性質の接着剤が塗布されていること，さらに、当該左、右の面の周囲に剥離不能な性質の接着剤が塗布されていること，からなる。
【０００９】
又、印刷用紙の所定の箇所に、縦に２つ折りした場合に、はがきの大きさと同じ大きさになるように、縦の長さをはがきの縦の長さより長くしてあり、横の長さははがきの横の長さと同じであるはがき部が設けられていること，当該はがき部の輪郭に、当該はがき部を当該印刷用紙から切り離すために設けられた切り込み線が設けられていること，当該はがき部の縦に２つ折りした場合に重なる側の上、下の面全体に、塗布した後にその上から文字を書くことが出来、かつ剥離可能な性質の接着剤が塗布されていること，からなる。
【００１０】
又、印刷用紙の所定の箇所に、縦に２つ折りした場合に、はがきの大きさと同じ大きさになるように、縦の長さをはがきの縦の長さより長くしてあり、横の長さははがきの横の長さと同じであるはがき部が設けられていること，当該はがき部の輪郭に、当該はがき部を当該印刷用紙から切り離すために設けられた切り込み線が設けられていること，当該はがき部の縦に２つ折りした場合に重なる側の上、下の面に、その周囲を除き、塗布した後にその上から文字を書くことが出来、かつ剥離可能な性質の接着剤が塗布されていること，さらに、当該上、下の面の周囲に剥離不能な性質の接着剤が塗布されていることからなる。
【００１１】
又、前記塗布した後にその上から文字を書くことが出来、かつ剥離可能な性質の接着剤が感圧糊であることが好適である。
【００１２】
さらに、本発明の返信用封書付き印刷物は、
印刷用紙の所定の箇所に、縦に２つ折りした場合に、重なる上の面と下の面の大きさが同じになるように封書部が設けられていること，当該封書部の輪郭に、当該封書部を当該印刷用紙から切り離すために設けられた切り込み線が設けられていること，当該封書部の縦に２つ折りした場合に重なる上、下の面の周囲に、接着剤が塗布されていること，からなる。
【００１３】
又、印刷用紙の所定の箇所に、横に２つ折りした場合に、大きさが同じになるように、封書部が設けられていること，当該封書部の輪郭に当該封書部を当該印刷用紙から切り離すために設けられた切り込み線が設けられていること，当該封書部の左、右の面の周囲に接着剤が塗布されていること，からなる。
【００１４】
返信用封書付き印刷物の、前記接着剤が感圧糊であることが好適である。
又、当該接着剤は剥離可能、又は剥離不能どちらでも良いが、剥離不能な性質の接着剤がより好適である。
【発明の効果】
【００１５】
本発明は、一枚の用紙のみで作製するはがき付き又は封書付き印刷物であるゆえに、手間がかからず製造することが出来るものである。
【発明を実施するための最良の形態】
【００１６】
本発明の実施の形態の一例を図面に従って説明する。
【００１７】
図１ａは返信用はがき付き印刷物の表側を示す図である。
広告用チラシ、アンケート用紙等の印刷用紙１の右下欄に返信用のはがき部２が設けられている。
はがき部２の表側の右の面４に住所、氏名、性別、年令、職業等を記載する欄が設けられており、表側の左の面５に内容等必要な事項を記載する欄が設けられている。
はがき部２の表側の左、右の面４，５全体に感圧糊が塗布されている。この感圧糊は剥離可能な感圧糊であり、かつ塗布した後にその上から文字を書くことが出来る性質の感圧糊である。又、左、右の面４，５は折り線６を中心に対称となっている。
【００１８】
図１ｂは返信用はがき付き印刷物の裏側を示す図である。
はがき部２の裏側の左の面４’にはがきの郵送先の住所、名称、担当の係等を記載する欄が設けられている。又、はがき部２の裏側の右の面５’は空白になっているが、この空白部分には広告等を印刷すると良い。
【００１９】
図１ｃは切り込み線に沿ってはがき部を切り取り、はがき部を横に２つに折る状態を示す図である。
図１ａ、図１ｂに示す如く切り込み線３に沿って印刷用紙１からはがき部２を切り離せば良く、切り離したあとは図１ｃに示す如く折り線６を中心に矢印方向に横に折り、上からボールペン等で圧力をかけて、図１ｄに示す如くはがきを作成する。
【００２０】
図２ａは別の実施例の返信用はがき付き印刷物の表側を示す図である。
広告用チラシ、アンケート用紙等の印刷用紙７の右下欄に返信用のはがき部８が設けられている。
はがき部８の縦に２つ折りした場合に重なる側の上の面１０に住所、氏名、性別、年令、職業等を記載する欄が設けられており、下の面１１に内容等必要な事項を記載する欄が設けられている。さらに、上の面１０の上の面にははがきの郵送先の住所、名称、担当の係等を記載する欄が設けられている。
はがき部８の上の面１０及び下の面１１全体に感圧糊が塗布されている。この感圧糊は剥離可能な感圧糊であり、塗布した後にその上から文字を書くことが出来る性質の感圧糊である。又、上、下の面１０，１１は折り線１２を中心に対称となっている。
【００２１】
図２ｂは切り込み線に沿ってはがき部を切り取り、はがき部を縦に折る状態を示す図である。
図２ａに示す如く切り込み線９に沿って印刷用紙７からはがき部８を切り離せば良く、切り離したあとは図２ｂに示す如く折り線１２を中心に矢印方向に縦に折り、上からボールペン等で圧力をかけて、図２ｃに示す如くはがきを作成する。はがき部８の下の面１１の裏側１１’は空白となっているが、この空白部分には広告等を印刷すると良い。
【００２２】
図３は図１ａに示す返信用はがき付き印刷物のはがき部の左、右の面の周囲に接着剤が塗布されていることを示す図であり、図４は図２ａに示す返信用はがき付き印刷物のはがき部の上、下の面の周囲に接着剤が塗布されていることを示す図である。
【００２３】
感圧糊は剥離可能であるため、はがきを受取るべき人が開く前に第三者が開いて、みてしまう可能性がある。そこで、はがき部２の左、右の面４，５又は上、下の面１０，１１の周囲１７，１８に容易に剥離できない、又は剥離不能な接着剤を塗布し、第三者が容易に開くことが出来ないようにし、秘匿という性質をさらに強化したものである。
【００２４】
したがって、はがきを開く場合はハサミ等で切り取る必要性がある。容易に剥離できない、又は剥離不能な接着剤には感圧糊、再湿糊等があるが、感圧糊が手間が掛からず好適である。
【００２５】
図５ａは返信用封書付き印刷物の表側を示す図である。
広告用チラシ、アンケート用紙等の印刷用紙１９の右下欄に返信用の封書部２０が設けられている。
封書部２０を、縦に２つ折りした場合に重なる上の面２２に住所、氏名、性別、年令、職業等を記載する欄が設けられており、下の面２３に内容等必要な事項を記載する欄が設けられている。さらに、上の面２２の上の面には、はがきの郵送先の住所、名称、担当の係等を記載する欄が設けられている。
封書部２０の上の面２２及び下の面２３の周囲２５，即ち上部、下部、左側、右側に接着剤が塗布されている。又、上の面２２及び下の面２３は折り線２４を中心に対称となっている。
封書の場合は当然内側全体に接着剤を塗布する必要がない。
又、接着剤も塗布した後にその上から文字を書くことが出来る性質の接着剤である必要はなく、したがって、一般的に市販されている、塗布した後にその上から文字が書けない感圧糊でも良く、又は再湿糊等でも良い。さらに、当該接着剤は剥離可能でも剥離不能でもどちらでも良いが剥離不能な性質の接着剤で、その接着剤は感圧糊が手間がかからず好適である。
【００２６】
図５ｂは切り込み線に沿って封書部を切り取り、封書部を縦に折る状態を示す図である。
図５ａに示す如く切り込み線２１に沿って印刷用紙１９から封書部２０を切り離せば良く、切り離したあとは図５ｂに示す如く折り線２４を中心に矢印方向に縦に折り、上の面２２及び下の面２３の周囲２５の接着剤が感圧糊の場合は上からボールペン等で圧力をかけて、再湿糊の場合は水等で濡らして、図５ｃに示す如く封書を作成する。封書部２０の下の面２３の裏側２３’は空白となっているが、この空白部分には広告等を印刷すると良い。
【００２７】
図６ａは別の返信用封書付き印刷物の表側を示す図である。
広告用チラシ、アンケート用紙等の印刷用紙１３の右下欄に返信用の封書部１４が設けられている。
封書部１４の表側の一方側（本図面では右側）の面２６に住所、氏名、性別、年令、職業等を記載する欄が設けられており、封書部１４の表側の他方側（本図面では左側）の面２７に内容等必要な事項を記載する欄が設けられている。又、一方側の面２６，他方側の面２７は折り線２８を中心に対称となっている。     
【００２８】
封書部１４の周囲１６、即ち、上部、下部、右側、左側に接着剤が塗布されている。封書の場合は当然内側全体に接着剤を塗布する必要がない。
又、接着剤も塗布した後にその上から文字を書くことが出来る性質の接着剤である必要はなく、したがって、一般的に市販されている、塗布した後にその上から文字が書けない感圧糊でも良く、又は再湿糊等でも良い。さらに、当該接着剤は剥離可能でも剥離不能でもどちらでも良いが剥離不能な性質の接着剤で、その接着剤が感圧糊が手間がかからず好適である。
【００２９】
図６ｂは図６ａの返信用封書付き印刷物の裏側を示す図である。
封書部１４の裏側の一方側（本図面では左側）の面２６’に封書の郵送先の住所、名称、担当の係等を記載する欄が設けられている。封書部１４の裏側の他方側（本図面では右側）の面２７’は空白となっているが、この空白部分には広告等を印刷すると良い。
【００３０】
図６ｃは切り込み線に沿って封書部を切り取り、封書部を横に折る状態を示す図である。
図６ａ、図６ｂに示す如く切り込み線１５に沿って印刷用紙１３から封書部１４を切り離せば良く、切り離したあとは図６ｃに示す如く折り線２８を中心に矢印方向に横に折り、封書部１４の周囲１６の接着剤が感圧糊の場合はボールペン等で圧力をかけて、再湿糊の場合は水等で濡らして、図６ｄに示す如く封書を作成する。  
【００３１】
本発明の印刷用紙１，７，１３の空白の部分は広告用チラシの場合は商品の説明等広告に必要な記載（印刷）、商品の注文内容等が記載（印刷）され、アンケート用紙の場合はアンケートの内容等必要事項が記載（印刷）されるが、これらに限定されることなく、必要に応じて図画等種々のものが印刷されて良い。
【００３２】
なお、本発明におけるはがき、封書は、大きさ等郵便規則に合致したものである。
【図面の簡単な説明】
【００３３】
【図１ａ】返信用はがき付き印刷物の表側を示す図である。
【図１ｂ】返信用はがき付き印刷物の裏側を示す図である。
【図１ｃ】切り込み線に沿ってはがき部を切り取り、はがき部を横に２つに折る状態を示す図である。
【図１ｄ】作成されたはがきを示す図である。
【図２ａ】別の実施例の返信用はがき付き印刷物の表側を示す図である。
【図２ｂ】図２ａの切り込み線に沿ってはがき部を切り取り、はがき部を縦に２つに折る状態を示す図である。
【図２ｃ】作成されたはがきを示す図である。
【図３】図１ａに示す返信用はがき付き印刷物のはがき部の内側の周囲に接着剤が塗布されていることを示す図である。
【図４】図２ａに示す返信用はがき付き印刷物のはがき部の内側の周囲に接着剤が塗布されていることを示す図である。
【図５ａ】返信用封書付き印刷物の表側を示す図である。
【図５ｂ】切り込み線に沿って封書部を切り取り、封書部を縦に折る状態を示す図である。
【図５ｃ】作成された封書を示す図である。
【図６ａ】別の返信用封書付き印刷物の表側を示す図である。
【図６ｂ】図６ａの返信用封書付き印刷物の裏側を示す図である。
【図６ｃ】切り込み線に沿って封書部を切り取り、封書部を横に折る状態を示す図である。
【図６ｄ】作成された封書を示す図である。
【符号の説明】
【００３４】
１，７，１３，１９  印刷用紙
２，８              はがき部
３，９，１５，２１  切り込み線
４                  表側の右の面
５                  表側の左の面
４’                裏側の左の面
５’                裏側の右の面
６，１２，２４，２８  折り線
１０                上の面
１１                下の面
１１’              下の面の裏側
１４，２０          封書部
１６，２５          封書部の周囲
１７，１８          はがき部の周囲
２２                上の面
２３                下の面
２６                表側の一方側の面
２７                表側の他方側の面
２６’              裏側の一方側の面
２７’              裏側の他方側の面
【図１ａ】
2006076071.tif 000003
【図１ｂ】
2006076071.tif 000004
【図１ｃ】
2006076071.tif 000005
【図１ｄ】
2006076071.tif 000006
【図２ａ】
2006076071.tif 000007
【図２ｂ】
2006076071.tif 000008
【図２ｃ】
2006076071.tif 000009
【図３】
2006076071.tif 000010
【図４】
2006076071.tif 000011
【図５ａ】
2006076071.tif 000012
【図５ｂ】
2006076071.tif 000013
【図５ｃ】
2006076071.tif 000014
【図６ａ】
2006076071.tif 000015
【図６ｂ】
2006076071.tif 000016
【図６ｃ】
2006076071.tif 000017
【図６ｄ】
2006076071.tif 000018